(57)【要約】【課題】身体に障害がある人や身体に柔軟性がなくなった老人などでも浴室やシャワー室内でほとんど他の人が介護せずに一人で簡単に身体を洗うことができるとともに、維持管理も容易な洗体装置を提供することを目的としている。【解決手段】身体洗浄具を浴室またはシャワー室の壁面に沿って支持する身体洗浄具支持部と、この身体洗浄具支持部に支持された状態で身体洗浄具の洗浄面を身体の洗浄部に沿う方向に運動させる駆動手段とを備えることを特徴としている。【選択図】      図１
2008125578.tif 000002
【特許請求の範囲】
【請求項１】
身体洗浄具を浴室またはシャワー室の壁面に沿って支持する身体洗浄具支持部と、この身体洗浄具支持部に支持された状態で身体洗浄具の洗浄面を身体の洗浄部に沿う方向に運動させる駆動手段とを備えることを特徴とする洗体装置。
【請求項２】
身体洗浄具支持部が身体洗浄具を着脱自在な身体洗浄具の固定手段を備えている請求項１に記載の洗体装置。
【発明の詳細な説明】
【技術分野】
【０００１】
本発明は、浴室あるいはシャワー室に設けられ、容易に身体を洗浄することができる洗体装置に関する。
【背景技術】
【０００２】
浴室やシャワー室において、身体を洗う場合、塗布した石鹸やボディシャンプーが泡立ちやすく、また、洗い流す際の泡切れがよいことからボディタオルやスポンジタワシ等が用いられている（特許文献１参照）。
上記のように、ボディタオルやスポンジタワシなどは、従来のタオルに比べ非常に使い勝手のよいものであるが、手に障害がある人や身体に柔軟性がなくなった老人などは、一人で背中などを洗うことは非常に難しい。
【０００３】
一方、手を使わなくても身体を洗うことができるようにした装置として、スポンジ片等を混ぜた石鹸水をポンプで循環させてシャワー状にして身体に振りかけて身体を洗浄するようにした洗体装置が提案されている（特許文献２参照）。
しかしながら、上記の洗体装置の場合、上方からスポンジ片等を混ぜた石鹸水をポンプで循環させてシャワー状にして振りかけるだけであるので、十分な洗浄効果が期待できないとともに、肩部分のみしかスポンジ片による摩擦洗浄効果を望めない。また、スポンジ片の回収等を行なわなければならず、装置が複雑であるとともに、維持管理も非常に面倒である。
【特許文献１】実開平7-189号公報
【特許文献２】実開平7-25891号公報
【発明の開示】
【発明が解決しようとする課題】
【０００４】
本発明は、上記事情に鑑みて、身体に障害がある人や身体に柔軟性がなくなった老人などでも浴室やシャワー室内でほとんど他の人が介護せずに一人で簡単に身体を洗うことができるとともに、維持管理も容易な洗体装置を提供することを目的としている。
【課題を解決するための手段】
【０００５】
上記目的を達成するために、本発明の請求項１に記載の洗体装置（以下、「請求項１の洗体装置」と記す）は、身体洗浄具を浴室またはシャワー室の壁面に沿って支持する身体洗浄具支持部と、この身体洗浄具支持部に支持された状態で身体洗浄具の洗浄面を身体の洗浄部に沿う方向に運動させる駆動手段とを備えることを特徴としている。
【０００６】
本発明の請求項２に記載の洗体装置（以下、「請求項２の洗体装置」と記す）は、請求項１の洗体装置において、身体洗浄具支持部が身体洗浄具を着脱自在な身体洗浄具の固定手段を備えていることを特徴としている。
【０００７】
本発明において、身体洗浄具の洗浄面を身体の洗浄部に沿う方向に運動させるとは、洗浄しようとする身体に洗浄面を押し当てた状態で、身体を動かさなくても、身体の別の位置に当たるように連続移動する運動を意味し、たとえば、円運動、楕円運動、８の字運動、上下運動、水平運動、これらの運動の組み合わせが挙げられる。
身体洗浄具としては、特に限定されないが、たとえば、タオル、スポンジたわし、ブラシ等が挙げられる。
【０００８】
身体洗浄具支持部は、壁面に沿って上下動可能にし、高さを変更できるようにしても構わない。すなわち、上下方向に位置を変更可能にすれば、大人と子供など身長差のある使用者でも使用可能となる。
【発明の効果】
【０００９】
以上のように、請求項１の洗体装置は、身体洗浄具を、身体洗浄具の洗浄面を所定範囲内で移動可能に浴室またはシャワー室の壁面に沿って支持する身体洗浄具支持部と、前記洗浄面を所定範囲内で連続移動運動させる駆動装置とを備えるので、駆動装置を駆動すれば、身体洗浄具の洗浄面が連続移動運動する。したがって、身体洗浄具の洗浄面に身体の洗浄したい部分を押し当てれば、身体を動かさなくても洗浄面の移動範囲で身体を洗浄することができる。すなわち、もたれかかるだけで背中の洗浄ができ、手足を押しつける事でその他の身体の部位も洗浄できるのでリラックスして浴室入浴、洗浄ができる。そして、身体に障害があり、洗浄具を手で持ったりすることができない人でもほとんど介護なしに身体を洗浄することができる。
【００１０】
また、請求項２の洗体装置は、身体洗浄具支持部が身体洗浄具を着脱自在な身体洗浄具の固定手段を備えているので、身体洗浄具の交換が自在であるとともに、身体洗浄具を身体洗浄具支持部から取り外して洗濯等が可能で身体洗浄具をより清潔に保つことができる。また、身体洗浄具支持部の清掃も容易となる。
【発明を実施するための最良の形態】
【００１１】
以下に、本発明を、その実施の形態をあらわす図面を参照しつつ詳しく説明する。
図１〜図８は、本発明にかかる洗体装置の１つの実施の形態をあらわしている。
【００１２】
図１に示すように、この洗体装置１は、洗体機２と、電源ボックス３と、防水リモートコントロール盤（以下、「リモコン」とのみ記す）４とを備えている。
洗体機２は、身体洗浄具支持部２aと、駆動装置としての低圧ＤＣ防水モーター（以下、「モーター」とのみ記す）２ｂとを備えている。
【００１３】
身体洗浄具支持部２aは、図１および図２に示すように、基台部２１と、回転部２２と、固定手段としてのタオル係止リング２３とを備えている。
基台部２１は、浴室Ｂの壁面Wに固定され、後述するモーター２ｂの駆動軸(図示せず)にギヤ等を介して連結された回転軸（図示せず）を回転部２２方向に突き出すように備えている。
【００１４】
回転部２２は、表面がゴム弾性体や連続気泡発泡体等で形成された断面凸面状をしていて、基台部２１から突き出た前述の回転軸が回転部２２の裏面でその中心に固定されていて、回転軸の回転によって回転軸を中心にして一定方向に回転運動するようになっている。
【００１５】
タオル係止リング２３は、金属や合成樹脂によって形成され、回転部２２の基台部２１側の端部の外径と略同じ内径をしている。
すなわち、タオル係止リング２３は、図２に示すように、回転部２２に身体洗浄具としてのタオルＴを被せた状態で、タオルＴの周囲を回転部２２との間に挟んだ状態で回転部２２の基台部２１側の端部に外嵌されることによってタオルＴが回転体表面を覆った状態で固定でき、回転部２２への嵌合を解除すれば、タオルＴが回転体２２から取り外せるようになっている。
なお、タオルＴは、綿のタオルでも構わないし、合成樹脂製のタオルでも構わない。
【００１６】
リモコン４は、図３に示すように、電源ボタン４１と、モーター２ｂの低速高速切り替えボタン４２とを備えている。
【００１７】
電源ボックス３は、浴室Ｂの天井裏に設置されていて、図４に示すように、内部に洗体機専用漏電遮断器３１と、低圧変換絶縁トランスを含む電源部３２と、制御用ワンチップマイコン３３と、ＰＩ／Ｏ（パラレルＩ／Ｏ）３４と、モーター用直流ドライバー３５と、過負荷検知Ａ／Ｄコンバーター３６とを備えていて、家庭用引き込み線からＡＣ１００Ｖが給電されるようになっている。
【００１８】
洗体機専用漏電遮断器３１は、７ｍA以上の漏電を検知すると、洗体機２への給電を停止するようになっている。
低圧変換絶縁トランスを含む電源部３２は、ＡＣ１００Ｖを低圧の直流にして、制御用ワンチップマイコン３３と、ＰＩ／Ｏ３４と、モーター用直流ドライバー３５と、過負荷検知Ａ／Ｄコンバーター３６とにそれぞれ給電するようになっている。
【００１９】
モーター用直流ドライバー３５は、モーター２ｂと電気的に接続されている。
ＰＩ／Ｏ３４は、信号線(図で鎖線で示す)を介してリモコン４、過負荷検知Ａ／Ｄコンバーター３６、モーター用直流ドライバー３５、および、制御用ワンチップマイコン３３にそれぞれ接続されている。
【００２０】
つぎに、この洗体装置１の使用方法および動作について、詳しく説明する。
まず、図２に示すように、タオルＴを回転体２２に固定したのち、タオルＴにボディシャンプー等の液体洗剤あるいは固形洗剤を塗布する。
次に、電源がＯＦＦの状態でリモコン４の電源ボタン４１が押されると、モーター２ｂが回転駆動する。すなわち、電源ボタン４１が押されると、図５のフローチャートに示すように、制御用ワンチップマイコン３３からの制御信号によってモーター２ｂが回転駆動し、回転体２２が回転する。そして、回転開始から５分間経過すると、制御用ワンチップマイコン３３からの制御信号によってモーター２ｂが停止するようになっている。また、過負荷検知Ａ／Ｄコンバーター３６によってモーター２ｂにかかる過負荷が所定以上あると検知されると、すなわち、モーター２ｂに一定以上のトルクがかかると、制御用ワンチップマイコン３３からの制御信号によってモーター２ｂが停止するようになっている。
【００２１】
一方、モーター２ｂの回転中にリモコン４の低速高速切り替えボタン４２が押されると、図６のフローチャートに示すように、モーター２ｂが速い回転速度から遅い回転速度あるいは遅い回転速度から速い回転速度に切り替わるようになっている。
【００２２】
この洗体装置１は、以上のように、回転体２２の回転に伴ってタオルＴが回転するようになっているので、図７に示すように、浴用椅子Ｃに座り、背中をタオルＴに押し当てるようにすれば、背中のタオルＴに当たっている部分が洗浄できる。また、図示していないが、浴用椅子Ｃに座った状態で横を向き、腕や肩の部分を押し当てれば、腕や肩の部分も洗浄できる。また、図８に示すように、立ち上がって、足の部分を押し当てれば足の部分も洗浄することができる。
すなわち、この洗体装置１によれば、タオルＴをセットし、洗剤を噴霧または塗布する、あるいは、浴用椅子Ｃに座らせるなどの少しの介護で、手足の不自由な身体障害者やお年寄りでも自分自身で身体洗浄できる。また、マッサージ効果もあり、健常者であっても心地よく身体を洗浄することができる。
【００２３】
また、この洗体装置１は、モーター２ｂによって回転体２２を回転させるだけであるので、構造が簡単である。
しかも、この洗体装置１は、回転は安全を考えて直流低圧電圧のモーター２ｂを使用し、一定トルク以上の力がかかると自動停止する安全機構および７ｍAの漏電で停止する安全機構を設けたので安全性が高い。
【００２４】
本発明は、上記の実施の形態に限定されない。たとえば、上記の実施の形態では、タオルＴに液体洗剤あるいは固形洗剤を塗布するようになっていたが、液体洗剤の場合、洗剤の塗布の手間を省くために、図９に示すように、ポンプ（図示せず）付きの洗剤タンク５を壁面に取り付け、電源ボタン４１が押されると同時に洗剤タンク５のポンプがたとえば５秒程度作動して、洗剤タンク５内の液体洗剤をノズル５１から回転体２２にセットされたタオルＴに滴下できるようにしても構わない。また、図示していないが、回転体２２内部側からタオルＴに液体洗剤６を供給できるようにしても構わない。
【００２５】
上記の実施の形態では、洗体機２の基台部２１が壁面Wに固定されていたが、図１０に示すように、壁面WにレールＲを固定し、基台部２１をこのレールＲに沿って上下方向にスライド自在にするとともに、昇降スライドバー２５を持って所望の高さまで洗体機２をスライドさせ、図示していない固定手段によって好みの高さ位置に固定できる構造としても構わない。
なお、このような構造とした場合、壁面の止水性を考慮すると、回転体２２を回転させるモーター２ｂは、基台部２１に内蔵させることが好ましい。また、固定手段としては、たとえば、基台部２１に設けたねじを締めこむことによって、レールＲの一部を挟持して固定し、ねじを緩めることによってレールＲの挟持が解除されるような構造が挙げられる。
【００２６】
さらに、上記のように上下にスライド可能とする構造においては、バネ等によって、洗体機２を常に上方に付勢しておき、軽い力で洗体機２をスライドできるようにしたり、昇降モーターを取り付けてリモコン操作によって洗体機２を昇降できるようにしても構わない。なお、昇降モーターを取り付けた場合、子供などの安全を考慮して不使用時に子供が洗体機２に触れることができないようにレールＲの最上部まで上がるような構造としても構わない。また、小さな子供のいたずら事故防止でリモコン４にチャイルドロックスイッチを設けるようにしても構わない。
【００２７】
上記の実施の形態では、回転部２２を電動のモーター２ｂで回転させるようになっていたが、電動のモーター２ｂの代わりに、小型エアーコンプレッサーを使用してエアーツールによる回転としても良い。また、インパクトドライバのように振動を与えながら回転させるようにしても構わない。さらに、回転は正回転 逆回転を繰り返しても良い。回転洗浄の代わりに低速往復振動で洗浄する機構でもよい。この場合、垂直方向振動と水平方向振動が切替できるようにしてもよい。
【００２８】
上記の実施の形態では、身体洗浄具がタオルであったが、タオルは市販のものでも専用のものでも構わない、また、タオルに代えて、ブラシやスポンジたわしでも構わない。
上記の実施の形態では、回転部２２の回転速度が低速と高速の２段階切り替え式となっていたが、切り替えなしの定速でも構わないし、多段階あるいは無段階の切り替え式としても構わない。
【図面の簡単な説明】
【００２９】
【図１】本発明にかかる洗体装置の１つの実施の形態であって、その浴室への取り付け状態の浴室断面を模式的に説明する図である。
【図２】図１の洗体装置の回転体にタオルを装着する方法を説明する説明図である。
【図３】図１の洗体装置のリモコンの正面図である。
【図４】図１の洗体装置の配線を説明するブロック図である。
【図５】回転体の動きを説明するフローチャートである。
【図６】回転体の速度変換時の動きを説明するフローチャートである。
【図７】図１の洗体装置の背中を洗浄する使用例を説明する説明図である
【図８】図１の洗体装置の足の部分を洗浄する使用例を説明する説明図である
【図９】本発明にかかる洗体装置の他の実施の形態であって、その洗剤タンク部分の浴室断面を模式的に説明する図である。
【図１０】本発明にかかる洗体装置の他の実施の形態であって、その洗体機部分の正面図である。
【符号の説明】
【００３０】
１  洗体装置
２  洗体機
２a  身体洗浄具支持部
２ｂ  モーター（駆動手段）
２１  基台部
２２  回転部
２３  タオル係止リング
３  電源ボックス
４  リモコン
Ｔ  タオル（身体洗浄具）
Ｂ  浴室
W  壁面
【図１】
2008125578.tif 000003
【図２】
2008125578.tif 000004
【図３】
2008125578.tif 000005
【図４】
2008125578.tif 000006
【図５】
2008125578.tif 000007
【図６】
2008125578.tif 000008
【図７】
2008125578.tif 000009
【図８】
2008125578.tif 000010
【図９】
2008125578.tif 000011
【図１０】
2008125578.tif 000012